(57)【特許請求の範囲】
【請求項１】
ハカマ部材と、このハカマ部材内に下部が挿入され、下端部あるいは下端部寄りの部位で該ハカマ部材に着脱可能に嵌合固定される軸心方向の切欠部を有する内筒部材と、この内筒部材の外周部を回動可能に覆う合成樹脂材製の螺旋部材と、この螺旋部材の外周部を覆う金属材製の外筒部材と、この外筒部材の下部寄りの部位に形成された、少なくとも１個以上の前記螺旋部材の下端部と係止する係止片と、前記内筒部材内に上下移動可能に収納された前記内筒部材の切欠部および前記螺旋部材の螺旋溝と係合する係合ピンを有する口紅等を支持する皿部材と、前記外筒部材の下端部より下部位置の前記内筒部材に上下移動あるいは回動可能に取付けられた、前記係止片の係止状態を上方への移動あるいは回動によって解除する係止解除リングとからなることを特徴とする口紅等の収納容器。
【請求項２】
ハカマ部材と、このハカマ部材内に下部が挿入され、下端部あるいは下端部寄りの部位で該ハカマ部材に着脱可能に嵌合固定される軸心方向の切欠部を有する内筒部材と、この内筒部材の外周部を回動可能に覆う外周部に回転止め用のレットが形成された合成樹脂材製の螺旋部材と、この螺旋部材の外周部を覆う内壁面に回転止め用のレットが形成された金属材製の外筒部材と、この外筒部材の下部寄りの部位に形成された少なくとも１個以上の前記螺旋部材の下端部と係止する係止片と、前記内筒部材内に上下移動可能に収納された前記内筒部材の切欠部および前記螺旋部材の螺旋溝と係合する係合ピンを有する口紅等を支持する皿部材と、前記外筒部材の下端部より下部位置の前記内筒部材に上下移動あるいは回動可能に取付けられた、前記係止片の係止状態を上方への移動あるいは回動によって解除する外周部レットあるいはコイン等の挿入溝を有する係止解除リングとからなることを特徴とする口紅等の収納容器。
【請求項３】
ハカマ部材と、このハカマ部材内に下部が挿入され、下端部あるいは下端部寄りの部位で該ハカマ部材に着脱可能に嵌合固定される軸心方向の切欠部を有する内筒部材と、この内筒部材の外周部を回動可能に覆う内壁面に螺旋溝あるいは多条溝が形成された金属材製の外筒部材と、この外筒部材の下部寄りの部位に形成された、少なくとも１個以上の前記内筒部材の下部寄りの外周部に形成された係合片と係止する係止片と、前記内筒部材内に上下移動可能に収納された前記内筒部材の切欠部および前記外筒部材の螺旋溝と係合する係合ピンを有する口紅等を支持する皿部材と、前記外筒部材の下端部より下部位置の前記内筒部材に上下移動あるいは回動可能に取付けられた、前記係止片の係止状態を上方への移動あるいは回動によって解除する係止解除リングとからなることを特徴とする口紅等の収納容器。
【発明の詳細な説明】
【０００１】
【発明の属する技術分野】
本発明は口紅、リップクリーム、スチックアイシャドウ、スチックファンデーション等の棒状化粧品を収納する口紅等の収納容器に関する。
【０００２】
【従来の技術】
従来の口紅収納容器は、合成樹脂材製の螺旋部材の外周部を覆う金属材製の外筒部材は該螺旋部材と一体になって回動できるようにするとともに、外筒部材の抜け脱を防止するために複数個のダボ等によって一体化させている。
【０００３】
【発明が解決しようとする課題】
従来の口紅収納容器は螺旋部材と外筒部材とが複数個のダボ等によって一体化させているため、リサイクルする場合には螺旋部材と外筒部材とを取り外すことが困難で、リサイクルすることができないという欠点があった。
【０００４】
本発明は以上のような従来の欠点に鑑み、合成樹脂材製の螺旋部材と金属材製の外筒部材とを抜け脱不能に、容易に一体化することができるとともに、リサイクルする場合には簡単な操作で、螺旋部材と外筒部材との係止状態を解除することができる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明はハカマ部材と、このハカマ部材内に下部が挿入され、下端部あるいは下端部寄りの部位で該ハカマ部材に着脱可能に嵌合固定される軸心方向の切欠部を有する内筒部材と、この内筒部材の外周部を回動可能に覆う合成樹脂材製の螺旋部材と、この螺旋部材の外周部を覆う金属材製の外筒部材と、この外筒部材の下部寄りの部位に形成された、少なくとも１個以上の前記螺旋部材の下端部と係止する係止片と、前記内筒部材内に上下移動可能に収納された前記内筒部材の切欠部および前記螺旋部材の螺旋溝と係合する係合ピンを有する口紅等を支持する皿部材と、前記外筒部材の下端部より下部位置の前記内筒部材に上下移動あるいは回動可能に取付けられた、前記係止片の係止状態を上方への移動あるいは回動によって解除する係止解除リングとで口紅等の収納容器を構成している。
【０００７】
【発明の実施の形態】
以下、図面に示す実施の形態により、本発明を詳細に説明する。
【０００８】
図１ないし図６に示す本発明の第１の実施の形態において、１は本発明の口紅２を収納する口紅収納容器で、この口紅収納容器１はハカマ部材３と、このハカマ部材３内に下部が挿入され、下端部あるいは下端部寄りの部位を該ハカマ部材３に着脱可能に嵌合固定される軸心方向の切欠部４を有する内筒部材５と、この内筒部材５の外周部を回動可能に覆う合成樹脂材製の螺旋部材６と、この螺旋部材６の外周部を覆う金属材製の外筒部材７と、この外筒部材７の下端部寄りの部位に形成された少なくとも１個以上、本発明の実施の形態では２個の前記螺旋部材６の下端部と係止するコ字状に切り欠き８、８、先端部を内側に曲げた係止片９、９と、前記内筒部材５内に上下移動可能に収納された前記内筒部材５の切欠部４および前記螺旋部材６の螺旋溝１０と係合する係合ピン１１を有する口紅２を支持する皿部材１２と、前記外筒部材７の下端部より下部位置の前記内筒部材５に上下移動可能に取付けられた、前記係止片９、９の係止状態を上方への移動によって解除する係止解除リング１３と、前記ハカマ部材３に着脱可能に取付けられる前記外筒部材７の外周部を覆うキャップ１４とで構成されている。
【０００９】
前記ハカマ部材３は合成樹脂材製のハカマ部材本体１５と、このハカマ部材本体１５内に下端部が嵌合固定される下部内壁面に嵌合片１６が形成され、上部外周部にキャップ嵌合部１７が形成された金属材製のキャップ嵌合部材１８とで構成されている。
【００１０】
前記内筒部材５は図３に示すように、下部に前記ハカマ部材３のキャップ嵌合部材１８の嵌合片１６と着脱可能に嵌合する嵌合部１９が形成された内筒部材本体２０と、この内筒部材本体２０の嵌合部１９の上部外周部に形成された係止解除リング挿入凹部２１と、この係止解除リング挿入凹部２１の上部位置に形成された螺旋部材挿入凹部２２と、この螺旋部材挿入凹部２２部位に形成された軸心方向の切欠部４とで構成されている。
【００１１】
前記係止解除リング１３は図５に示すように、前記内筒部材５の係止解除リング挿入凹部２１に上下移動可能に挿入される、指先で持って操作することができる係止解除リング本体２３と、この係止解除リング本体２３の上部と一体形成された前記外筒部材７の下端部内に挿入されるリング状の係止解除片２４とで構成されている。
【００１２】
上記構成の口紅収納容器１はハカマ部材３と外筒部材７とを持って回動させることにより、従来の口紅収納容器と同様に皿部材１２が上下移動して、外筒部材７の上部より口紅２を出没させて使用することができる。
【００１３】
口紅収納容器１を分解する場合には、ハカマ部材３より内筒部材５、螺旋部材６、外筒部材７、皿部材１２等が組付けられたものを、図６に示すように抜き取り、係止解除リング１３の係止解除リング本体２３を持って上方へスライド移動させることにより、係止解除片２４が外筒部材７の係止片９、９を係止解除方向に移動させることにより、外筒部材７を容易に螺旋部材６より抜き取ることができる。
【００１４】
【発明の異なる実施の形態】
次に、図７ないし図２１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図７ないし図９に示す本発明の第２の実施の形態において、前記本発明の第１の実施の形態と主に異なる点は、外周部に回転止め用のレット２５を形成した内筒部材５Ａと、内壁面に回転止め用のレット２６を形成した外筒部材７Ａと、係止解除リング本体２３の外周部に持ちやすいようにレット２７が形成された係止解除リング１３Ａとを用いた点で、このように構成した口紅収納容器１Ａにしても、前記本発明の第１の実施の形態と同様な作用効果が得られる。
【００１６】
図１０ないし図１２に示す本発明の第３の実施の形態において、前記本発明の第１の実施の形態と主に異なる点は、係止解除リング本体２３の下端部にコイン２８等を挿入して上方へスライド移動させることができるコイン等の挿入溝２９を形成した係止解除リング１３Ｂを用いた点で、このような係止解除リング１３Ｂを用いて構成した口紅収納容器１Ｂにしても、前記本発明の第１の実施の形態と同様な作用効果が得られるとともに、係止解除リング１３Ｂをより容易に上方へ移動させることができる。
【００１７】
図１３ないし図１５に示す本発明の第４の実施の形態において、前記本発明の第１の実施の形態と主に異なる点は、螺旋部材６の下端部に可撓性の連結部材３０を介して係止解除リング１３を一体形成した点で、このように形成された螺旋部材６と係止解除リング１３とを用いて構成した口紅収納容器１Ｃにしても、前記本発明の第１の実施の形態と同様な作用効果が得られる。
【００１８】
図１６ないし図１８に示す本発明の第５の実施の形態において、前記本発明の第１の実施の形態と主に異なる点は、係止解除リング本体２３を回動させることにより、係止片９、９を係止解除方向に回動させる係止片押し上げ傾斜面３１、３１と、係止片９、９が挿入される係止片収納凹部３２、３２とを形成したリング状の係止解除片２４Ａを有する係止解除リング１３Ｃを用いた点で、このように形成された係止解除リング１３Ｃを用いて構成した口紅収納容器１Ｄにしても前記本発明の第１の実施の形態と同様な作用効果が得られる。
【００１９】
図１９ないし図２１に示す本発明の第６の実施の形態において、前記本発明の第１の実施の形態と主に異なる点は、内壁面に螺旋溝１０あるいは多条溝が形成された金属材製の外筒部材７Ｂと、内筒部材５Ｂの下部寄りの外周部に係止片９と係止させる係合片３３を形成した点で、このように構成した口紅収納容器１Ｅにしても前記本発明の第１の実施の形態と同様な作用効果が得られるとともに、螺旋部材が不要となる。
【００２０】
なお、前記本発明の各実施の形態では口紅２を収納する口紅収納容器について説明したが、本発明はこれに限らず、皿部材にリップクリーム、スチックアイシャドウ、スチックファンデーション等の棒状化粧品を収納しても同様に実施することができる。
【００２１】
【発明の効果】
以上の説明から明らかなように、本発明にあっては次に列挙する効果が得られる。
【００２２】
（１）ハカマ部材と、このハカマ部材内に下部が挿入され、下端部あるいは下端部寄りの部位で該ハカマ部材に着脱可能に嵌合固定される軸心方向の切欠部を有する内筒部材と、この内筒部材の外周部を回動可能に覆う合成樹脂材製の螺旋部材と、この螺旋部材の外周部を覆う金属材製の外筒部材と、この外筒部材の下部寄りの部位に形成された、少なくとも１個以上の前記螺旋部材の下端部と係止する係止片と、前記内筒部材内に上下移動可能に収納された前記内筒部材の切欠部および前記螺旋部材の螺旋溝と係合する係合ピンを有する口紅等を支持する皿部材と、前記外筒部材の下端部より下部位置の前記内筒部材に上下移動あるいは回動可能に取付けられた、前記係止片の係止状態を上方への移動あるいは回動によって解除する係止解除リングとで構成されているので、係止解除リングを上方への移動あるいは回動させることにより、螺旋部材の下端部と係止している外筒部材に形成された係止片を係止状態から係止解除状態にできる。
したがって、外筒部材を螺旋部材より容易に抜き取り、分解することができ、容易にリサイクルを行なうことができる。
【００２３】
（２）前記（１）によって、係止解除リングを用いるだけでよいので、構造が簡単で、容易に実施することができる。
【００２４】
（３）前記（１）によって、係止解除リングを上方へ移動あるいは回動させるだけの操作でよいので、特別な工具を用いたりすることなく、誰でもが容易に外筒部材と螺旋部材とを分解することができる。
【００２５】
（４）請求項２、３も前記（１）〜（３）と同様な効果が得られる。
【図面の簡単な説明】
【図１】本発明の第１の実施の形態の断面図。
【図２】本発明の第１の実施の形態の分解図。
【図３】本発明の第１の実施の形態の内筒部材の説明図。
【図４】本発明の第１の実施の形態の外筒部材の説明図。
【図５】本発明の第１の実施の形態の係止解除リングの説明図。
【図６】本発明の第１の実施の形態の分解時の説明図。
【図７】本発明の第２の実施の形態の断面図。
【図８】本発明の第２の実施の形態の分解図。
【図９】本発明の第２の実施の形態の分解時の説明図。
【図１０】本発明の第３の実施の形態の断面図。
【図１１】本発明の第３の実施の形態の分解時の説明図。
【図１２】本発明の第３の実施の形態の係止解除リングの説明図。
【図１３】本発明の第４の実施の形態の断面図。
【図１４】本発明の第４の実施の形態の螺旋部材と係止解除リングの説明図。
【図１５】本発明の第４の実施の形態の係止解除リングの動作説明図。
【図１６】本発明の第５の実施の形態の断面図。
【図１７】本発明の第５の実施の形態の分解時の説明図。
【図１８】本発明の第５の実施の形態の係止解除リングの説明図。
【図１９】本発明の第６の実施の形態の断面図。
【図２０】本発明の第６の実施の形態の分解図。
【図２１】本発明の第６の実施の形態の外筒部材の説明図。
【符号の説明】
１、１Ａ、１Ｂ、１Ｃ、１Ｄ、１Ｅ：口紅収納容器、
２：口紅、              ３：ハカマ部材、
４：切欠部、            ５、５Ａ、５Ｂ：内筒部材、
６：螺旋部材、          ７、７Ａ、７Ｂ：外筒部材、
８：切り欠き、          ９：係止片、
１０：螺旋溝、          １１：係合ピン、
１２：皿部材、
１３、１３Ａ、１３Ｂ、１３Ｃ：係止解除リング、
１４：キャップ、        １５：ハカマ部材本体、
１６：嵌合片、          １７：キャップ嵌合部、
１８：キャップ嵌合部材、１９：嵌合部、
２０：内筒部材本体、    ２１：係止解除リング挿入凹部、
２２：螺旋部材挿入凹部、２３：係止解除リング本体、
２４、２４Ａ：係止解除片、
２５：回転止め用レット、２６：回転止め用レット、
２７：レット、          ２８：コイン、
２９：コイン等の挿入溝、３０：連結部材、
３１：係止片押し上げ傾斜面、
３２：係止片収納凹部    ３３：係合片。
【図１】
0004707843.tif 000002
【図２】
0004707843.tif 000003
【図３】
0004707843.tif 000004
【図４】
0004707843.tif 000005
【図５】
0004707843.tif 000006
【図６】
0004707843.tif 000007
【図７】
0004707843.tif 000008
【図８】
0004707843.tif 000009
【図９】
0004707843.tif 000010
【図１０】
0004707843.tif 000011
【図１１】
0004707843.tif 000012
【図１２】
0004707843.tif 000013
【図１３】
0004707843.tif 000014
【図１４】
0004707843.tif 000015
【図１５】
0004707843.tif 000016
【図１６】
0004707843.tif 000017
【図１７】
0004707843.tif 000018
【図１８】
0004707843.tif 000019
【図１９】
0004707843.tif 000020
【図２０】
0004707843.tif 000021
【図２１】
0004707843.tif 000022